(57)【要約】【課題】地震などによる揺れを受けても固定クリップが野縁及び野縁受けから外れ難く、取り付け作業も簡単で、野縁受けの断面形状の選択の自由度も大きい固定クリップを提供する。【解決手段】固定クリップ１０は、野縁受け嵌合部１１とこれに一体の野縁係合部１２とから構成されている。野縁係合部１２は、一対の脚面部１３を備え、各脚面部１３が互いに離間する方向に開脚され、脚面部１３の端部１３ａ及びその近傍の幅寸法が、野縁３０のリップ部３３間の間隔よりも短く、脚面部１３には、その端部１３ａの両側部から幅方向外方に張り出した一対の係合突起片１４が形成され、それぞれの係合突起片１４の幅方向先端部間の間隔が、野縁３０のリップ部３３間の間隔よりも僅かに長く、各係合突起片１４が、脚面部１３の表面よりも上側へ向けて屈曲されている。【選択図】図１
2010229785.tif 000002
【特許請求の範囲】
【請求項１】
主壁の両側縁からほぼ直交して同一方向に立ち上がる一対の側壁と前記各側壁の各端縁から前記側壁の対向する内方側に張り出して形成されたリップ部とを備え、該リップ部が、前記各側壁の各端縁から内方に張り出したフランジ面と該フランジ面の内縁から前記主壁に向かって僅かに張り出した内縁壁とを備える長尺の野縁に、建築構造物の躯体に支持され、かつ前記野縁とほぼ直交して交差する長尺の野縁受けを取り付ける固定クリップにおいて、
前記固定クリップが、前記野縁受けを嵌め込む野縁受け嵌合部と、前記野縁に係合する野縁係合部とからなり、
前記野縁受け嵌合部が、上面部と、該上面部の対向する一対の側縁から同一方向に延びる一対の側面部を備え、
前記野縁係合部が、前記野縁受け嵌合部の前記各側面部から前記上面部とは反対の方向に延びる一対の脚面部を備え、該各脚面部が、前記側面部から互いに離間する方向に開脚され、
前記側面部とは反対側に位置する前記脚面部の端部及びその近傍の幅寸法が、前記野縁の対向する前記リップ部間の間隔よりも短く、
前記脚面部の前記端部には、前記野縁の前記リップ部を形成している前記フランジ面と前記内縁壁と前記側壁とにより画成されたリップ溝に差し込まれる一対の係合突起片が前記脚面部の幅方向外方に張り出して形成され、
それぞれの前記脚面部に形成された２つの前記係合突起片の幅方向先端部間の間隔が、前記野縁の対向する前記リップ部間の間隔よりも僅かに大きく、
前記係合突起片が、前記脚面部の表面よりも上側へ向けて屈曲され、前記係合突起片の一部が前記リップ溝内に係合することを特徴とする固定クリップ。
【請求項２】
前記係合突起片が、その上縁と前記脚面部の側縁とでＶ字状のフック溝を形成している請求項１に記載の固定クリップ。
【請求項３】
前記係合突起片が、所定の大きさの面を備えるほぼ四角形の板状片であり、Ｖ字状の前記フック溝が、前記板状片の上縁と前記脚面部の側縁とで形成されている請求項２に記載の固定クリップ。
【発明の詳細な説明】
【技術分野】
【０００１】
本発明は、固定クリップに関し、更に詳細には、例えば、天井下地材の一部である野縁と野縁受けとを互いに固定するのに用いられる固定クリップに関する。
【背景技術】
【０００２】
一般的に、鉄筋コンクリート造等の建築構造物における天井部分には内装材として天井パネルが取り付けられている。この天井パネルは、該天井パネルと建築構造物の躯体天井面との間に設置された野縁と野縁受けとにより支持されている。このような野縁と野縁受けは、非常に良く知られているものであるので、それらの構造の詳細な説明は省略する。天井パネルは、直接的には野縁に取り付けられ、この野縁は、建築構造物の躯体天井面に取り付けられたアンカーボルトにより吊り下げられた野縁受けに固定クリップを用いて連結されている。固定クリップは、特許文献１に開示されているように既に良く知られており、一般的には、野縁受けに係止する野縁受け係止部と、野縁を保持する野縁保持部とから構成されている。
【０００３】
野縁受け係止部は、野縁受けの上面である側壁（上側壁）に沿う横板部と、この横板部の端縁から延出して下方へ折り曲げられた折曲げ係止片とを備えている。この折曲げ係止片には、野縁受けの上側壁下面（裏面）に当接する突起部が設けられている。また、野縁保持部には、野縁のリップ部に係合する爪部が設けられ、この爪部は、リップ部を形成しているフランジ面、内縁壁、側壁の３部分により画成された溝部に差し込まれて内縁壁に係合する。これにより、野縁が固定クリップにより野縁受けに連結される。
【０００４】
ところで、この固定クリップは、野縁受け係止部と野縁保持部とが平板状の竪板部の上部及び下部に設けられ、しかも野縁受け係止部は竪板部から片側方向にのみ延出しているので、側面から見ると逆Ｌ字状に形成されている。そのため、地震による横揺れなどの作用力が、野縁や野縁受けに及ぼされると、野縁受けに取り付けられている固定クリップの竪板部が野縁の長手方向に向かって傾いたり、倒れたりして、野縁保持部の爪部が野縁のリップ部から外れてしまうことがある。このような従来の固定クリップがもつ欠点を補うため、実際に施工される際、一本の野縁受けに順次並ぶ複数の固定クリップは、その向きを交互に変えて取り付けられていた。
【０００５】
また、野縁や野縁受けが地震などにより大きな作用力を受けても固定クリップが野縁から脱落しないようにする他の構造として、クリップ補強部材（特許文献２）の使用が知られている。このクリップ補強部材は、固定クリップの横板部の上を覆う四角形の天板を備え、この天板の相対向する一対の端縁から下方に屈曲された一対の挟み板の各下端部に、野縁の幅方向に向けて一対のリップ突起が形成され、これらのリップ突起が、野縁のリップ壁に係合するようになっている。このクリップ補強部材を使用すると、一対の挟み板が野縁受けの両側に設けられていることにより、固定クリップが野縁の長手方向から何らかの作用力を反復して受けても、固定クリップが野縁から外れ難くなる。
【先行技術文献】
【特許文献】
【０００６】
【特許文献１】特開２００７−２４７２１７号公報
【特許文献２】特開２００７−２９７８５７号公報
【発明の概要】
【発明が解決しようとする課題】
【０００７】
しかし、特許文献２に開示されているクリップ補強部材は、同文献２の図５に示されるように、リップ突起が野縁のリップ壁に当接するのみで、リップ壁と側壁とで画成された溝部へ積極的に差し込まれる構造にはなっていない。そのため、挟み板の幅方向（野縁受けの長手方向）から力が作用すると、一方側のリップ突起が溝部に入り込むような状態で他方側のリップ突起が、リップ壁から野縁の内側に向けて外れ落ち、その結果、クリップ補強部材は、本来の補強機能を果たさなくなり、結局、固定クリップに上述した作用力が及んで野縁から脱落する、という問題があった。
【０００８】
また、かかる補強部材は、固定クリップとは別部材であるため、この補強部材を用いると、部品点数が増えて、天井裏という狭い場所での取り付け作業工数が増えるという問題もあった。さらに、従来の固定クリップでは、野縁受けの断面形状が、少なくとも上部にフランジなどを有する、例えばコ字状や横Ｈ形でなければならず、部材を選択する自由度が低かった。加えて、取り付けの向きを、一つの野縁受けについて交互にしなければならず、取り付けに手間が掛かるという問題もあった。
【０００９】
本発明の目的は、かかる従来の問題点を解決するもので、地震などによる揺れを受けても固定クリップが野縁から外れに難く、しかも取り付け作業も簡単で、いかなる断面形状の野縁受けにでも使用することのできる固定クリップを提供することにある。
【課題を解決するための手段】
【００１０】
本発明は、主壁の両側縁からほぼ直交して同一方向に立ち上がる一対の側壁と各側壁の各端縁から前記側壁の対向する内方側に張り出して形成されたリップ部とを備え、該リップ部が、前記各側壁の各端縁から内方に張り出したフランジ面とフランジ面の内縁から主壁に向かって僅かに張り出した内縁壁とを備える長尺の野縁に、建築構造物の躯体に支持され、かつ野縁とほぼ直交して交差する長尺の野縁受けを取り付ける固定クリップであり、その特徴とするところは、野縁受けを嵌め込む野縁受け嵌合部と、野縁に係合する野縁係合部とからなり、野縁受け嵌合部が、上面部と、上面部の対向する一対の側縁から同一方向に延びる一対の側面部を備え、野縁係合部が、野縁受け嵌合部の各側面部から上面部とは反対の方向に延びる一対の脚面部を備え、各脚面部が、側面部から互いに離間する方向に開脚され、側面部とは反対側に位置する脚面部の端部及びその近傍の幅寸法が、野縁の対向するリップ部間の間隔よりも短く、脚面部の端部には、野縁のリップ部を形成しているフランジ面と内縁壁と側壁とにより画成されたリップ溝に差し込まれる一対の係合突起片が脚面部の幅方向外方に張り出して形成され、それぞれの脚面部に形成された２つの係合突起片の幅方向先端部間の間隔が、野縁の対向するリップ部間の間隔よりも僅かに大きく、係合突起片が、脚面部の表面よりも上側へ向けて屈曲され、係合突起片の一部がリップ溝内に係合することにある。
【００１１】
本発明の固定クリップに係る他の実施形態としては、前記脚面部の前記端縁側における両側部に幅方向外方に張り出し、前記脚面部の表面よりも上側へ向けて屈曲された前記係合突起片が、その上縁と前記脚面部の側縁とでＶ字状のフック溝を形成している。
【００１２】
本発明の固定クリップに係る他の実施形態としては、前記係合突起片が、所定の大きさの面を備えるほぼ四角形の板状片であり、Ｖ字状のフック溝が、板状片の上縁と脚面部の側縁とで形成されている。
【発明の効果】
【００１３】
本発明の固定クリップによれば、脚面部の端部に形成され、かつ脚面部の表面よりも上方へ向けて屈曲されている２つの係合突起片の先端部間の間隔が、野縁のリップ部間の間隔よりも僅かに大きいので、脚面部の端部を野縁の溝部に強制的に押し込んでゆくとき、係合突起片の面全体が、リップ部の内側肩部に対して斜めに滑動可能に接触しながらリップ部を含む側壁を徐々に押し広げ（撓ませ）ると同時に自らも変形して先端部間の間隔を小さくする。そして、脚面部を溝部に押し込み続けると、それぞれ一対の係合突起片は、リップ溝内にやがて係止する。この状態になると、各係合突起片の先端部間の間隔やリップ部間の間隔がほぼ元の長さに復元する。
【００１４】
これにより、各脚面部の一対の係合突起片はリップ溝内から外れなくなり、地震などによる作用力が野縁を介して固定クリップに作用しても、係合突起片はリップ溝内に係合し続け、固定クリップが野縁から外れることはない。また、本発明の固定クリップは、野縁受けを跨ぐように装着する野縁受け嵌合部を備えているので、野縁受けの断面形状の選択範囲が広がり、換言すれば、野縁受けが、野縁受け嵌合部の上面と一対の側面部とに接触する形状のものであればよく、その結果、野縁受けの断面形状についての制約が大幅に少なくなって、野縁受けの選択の自由度が向上する。
【００１５】
また、本発明の固定クリップによれば、係合突起片が、その上縁と脚面部の側縁部とでＶ字状のフック溝（係止溝）を形成しているので、このフック溝に野縁の内縁壁端部が入り込み、固定クリップが野縁から抜け出るのを確実に防止することができる。
【００１６】
また、本発明の固定クリップによれば、係合突起片が、所定の大きさの面を備えるほぼ四角形の板状片であり、この板状片の上縁と脚面部の側縁部とでＶ字状のフック溝が形成されているので、固定クリップの係合突起片を野縁のリップ部内に滑り込ませるときにその押し込み力が分散して係合突起片それ自体を撓ませるので、脚面部との付け根で折れたりすることがなく、また野縁への取り付けも容易となる。
【図面の簡単な説明】
【００１７】
【図１】本発明の一実施形態に係る固定クリップにより野縁を野縁受けに連結した状態を示す斜視図。
【図２】図１に示される固定クリップのみを示す斜視図。
【図３】本発明の一実施形態に係る固定クリップにより野縁受けに野縁を連結した天井パネル支持構造体を、建築構造物の躯体天井面側から見た平面図。
【図４】本発明の一実施形態に係る固定クリップによる野縁と野縁受けとの連結部を示す正面図。
【図５】図４に示される野縁と野縁受けとの連結部を５−５線で切断して示す断面図。
【図６】本発明の他の実施形態に係る固定クリップを示す斜視図。
【図７】図６に示す固定クリップを野縁受けに取り付けた状態で示す断面図。
【発明を実施するための形態】
【００１８】
以下、本発明の固定クリップを、図に示される好適な実施形態に基づいてさらに詳細に説明する。本発明の一実施形態に係る固定クリップ１０は、図１及び図３に示されるように、例えば、鉄筋コンクリート造などの建築構造物の躯体天井部Ｋに埋め込まれたアンカーボルトＬに取り付けられたハンガーＨにより吊下げ支持された野縁受け２０と、その直下においてこの野縁受け２０にほぼ直角に交差する野縁３０とを連結するためのものである。天井パネルＰは、この野縁３０にビスなどを用いて取り付けられる。
【００１９】
本発明の一実施形態に係る固定クリップ１０の詳細な構成を説明する前に、野縁３０の断面形状について説明する。野縁３０は、例えば、亜鉛メッキ鋼板などから形成された長尺の部材である。野縁３０は、平板状の主壁３１と、主壁３１に対してほぼ直角にその両側縁から同一方向に立ち上がる一対の側壁３２と、各側壁３２の各端縁から側壁３２の対向する内方に張り出して形成されたリップ部３３とを備えている。これにより、野縁３０は、主壁３１と２つの側壁３２とで画成された溝部３４を備える断面コ字状を呈し、従ってリップ部３３は、この溝部３４の開口部両側に存在している。
【００２０】
さらに、リップ部３３は、各側壁３２の各端縁から内方に張り出したフランジ面３３ａと、フランジ面３３ａの内縁から主壁３１に向かって僅かに張り出した内縁壁３３ｂとから形成されている。これにより、各リップ部３３の内側には、フランジ面３３ａと内縁壁３３ｂと側壁３２とにより画成されたリップ溝３３ｃが形成され、このリップ溝３３ｃには、後述する固定クリップ１０に設けられた係合突起片１４が係合する。他方、野縁受け２０は、図１に示されるように断面コ字状の長尺なチャンネル部材であり、野縁３０と同様に亜鉛メッキ鋼板などから形成されている。野縁受け２０は、従来の固定クリップの構成に基づいてこのようなチャンネル部材を使用しているが、本発明の固定クリップ１０を使用する限りでは、かかるチャンネル形状に限定されるものではない。
【００２１】
そこで、本発明の一実施形態に係る固定クリップ１０について説明すると以下のとおりである。固定クリップ１０は、図１及び図２に示されるように、野縁受け２０を嵌め込む野縁受け嵌合部１１と、野縁３０に係合する野縁係合部１２とを備えている。固定クリップ１０は、比較的に薄い亜鉛メッキ鋼板などから形成されており、従って固有の弾性を有している。野縁受け嵌合部１１は、上面部１１ａと、この上面部１１ａの対向する一対の側縁から同一方向に延びる側面部１１ｂとから形成され、断面コ字状を呈している。野縁係合部１２は、野縁受け嵌合部１１の各側面部１１ｂから上面部１１ａとは反対の方向に延びる一対の脚面部１３を備え、各脚面部１３は、側面部１１ｂから離れる方向において互いに離間するように開脚されている。これら野縁受け嵌合部１１と野縁係合部１２とは一体に形成されている。
【００２２】
側面部１１ｂとは反対側に存在する脚面部１３の端部１３ａの両側部には、脚面部１３を正面から見たとき、ほぼ四角形状をした所定の大きさの面を備える一対の係合突起片１４が脚面部１３の幅方向外方側に張り出して形成されている。従って、各係合突起片１４は、脚面部１３の表面１３ａ及び裏面１３ｂにそれぞれ連続する表面１４ａと裏面１４ｂとを備えている。係合突起片１４は、脚面部１３との連接部（脚面部１３の側縁１３ｄの延長線部分）を中心に、脚面部１３の表面１３ａが向いている方向に屈曲している。更に詳しくは、各係合突起片１４が屈曲される前の状態では、その表面１４ａや裏面１４ｂが脚面部１３の表面１３ａや裏面１３ｂと同一平面に位置しているが、そのときには係合突起片１４の上縁１４ｃと脚面部１３の側縁１３ｄとはほぼ９０度をなしている。
【００２３】
しかし、係合突起片１４は、その上縁１４ｃと脚面部１３の側縁１３ｄとが鋭角になるように脚面部１３の表面１３ａが向いている方向に屈曲されている。その際、係合突起片１４は、その表面１４ａと脚面部１３の表面１３ａとのなす角度が９０度より小さく、好ましくは、３０〜６０度に屈曲されている。係合突起片１４が、このような角度に屈曲されると、係合突起片１４の上縁１４ｃと脚面部１３の側縁１３ｄとが鋭角になり、これにより係合突起片１４の上縁１４ｃと脚面部１３の側縁１３ｄとでＶ字状のフック溝１５が形成される。
【００２４】
次に、固定クリップ１０が、野縁受け２０に野縁３０を連結する際の該固定クリップ１０の取り付け方について、固定クリップ１０の脚面部１３の特定部位における寸法並びに係合突起片１４の更に詳しい形状及び寸法などと共に以下説明する。固定クリップ１０は、野縁受け２０と野縁３０との交差個所において、固定クリップ１０の野縁受け嵌合部１１内に野縁受け２０を挿入するように躯体天井部Ｋに向いた野縁受け２０の上側壁２１の上方から押圧されて装着される。このようにして固定クリップ１０が野縁受け２０に取り付けられるとき、野縁受け２０の下側に位置している野縁３０に向かって延びている２つの脚面部１３は、その端部１３ａ両側に形成されている係合突起片１４の裏面１４ｂが野縁４０の各リップ部４３における内側肩部（フランジ面４３ａと内縁壁４３ｂとの連接部）３３ｄに当接する。言い換えれば、図４に示されるように固定クリップ１０は、脚面部１３に対して折曲された状態にある２つの係合突起片１４の幅方向先端部（側縁１４ｄ）間の寸法Ｗ１が、野縁１１の対向する側面３２間の寸法、即ち溝部３４の幅寸法よりも小さく、且つ野縁３０のリップ部３３における内側肩部３３ｄ間の間隔Ｗ２より僅かに大きく形成されている。
【００２５】
また、少なくとも係合突起片１４の上縁１４ｃと共同してＶ字状のフック溝１５を形成している脚面部１３の側縁１３ｄ間の寸法Ｗ３は、野縁３０のリップ部３３における内側肩部３３ｄ間の寸法よりも小さくされている。従って、係合突起片１４が形成されていないとすれば、脚面部１３の端部１３ｃ及びその近傍は、野縁３０のリップ部３３の内側肩部３３ｄ間の間に入り込むことができる。
【００２６】
ところで、固定クリップ１０が、野縁受け２０に装着されるときの押圧力だけでは、係合突起片１４がリップ部３３の内側肩部３３ｄからそれを越えて溝部３４に入り込むことはなく、そのため２つの脚面部１３は、固定クリップ１０が野縁受け２０に装着されるに従ってその開脚度が大きくなるように弾性変形する。言い換えれば、２つの脚面部１３どうしは一層広がり、これにより係合突起片１４の裏面１４ｂがリップ部３３の内側肩部３３ｄに当接する圧接力も大きくなる。
【００２７】
この状態、即ち固定クリップ１０が野縁受け２０に完全に装着され、これに伴って２つの脚面部１３がさらに開脚しつつ各係合突起片１４の裏面１４ｂがリップ部３３の内側肩部３３ｄに圧接している状態から、作業者が、２つの脚面部１３に開脚方向とは反対方向（２つの脚面部１３を接近させる方向）に強制的に押圧力を付与すると、リップ部３３の内側肩部３３ｄに裏面１４ｂが圧接している係合突起片１４は大きくなる圧接力によってその屈曲方向に変形し始め、同時に相対向する係合突起片１４による野縁３０のリップ部３３への押圧力により両側壁３２が外側に撓み、かかる両者の変化に伴ってリップ部３３の内側肩部３３ｄ間の寸法、即ち溝部３４の開口幅が僅かに拡大する。
【００２８】
このような係合突起片１４の変形による先端部（側縁１４ｄ）間の寸法縮小と野縁３０のリップ部３３における内側肩部３３ｄ間の拡大とにより、係合突起片１４は、その裏面１４ｂがリップ部３３の内側肩部３３ｄを滑りながら溝部３４内に入り込む。この時、係合突起片１４は、前述したようにほぼ四角形状の板状片であることから、リップ部３３の内側肩部３３ｄから受ける圧接力が係合突起片１４全体に分散することになる。そのため、脚面部１３との付け根、即ち脚面部１３の側縁１３ｄの延長線部分に大きな曲げ応力を掛けることなく、係合突起片１４を専ら撓ませることになる。作業者は、係合突起片１４が野縁３０の溝部３４内に入り込むと同時に固定クリップ１０における２つの脚面部１３への押圧力の付与を止める。
【００２９】
これにより、２つの脚面部１３がその素材の有する弾性により跳ね上がって元の開脚状態に復帰すると同時に僅かに変形していた係合突起片１４も元の状態に復帰し、さらに各係合突起片１４により押し広げられていた野縁３０のリップ部３３における内側肩部３３ｄ間の開口幅も元の状態に復帰する。その結果、各脚面部１３の端部１３ａ両側部から張り出している係合突起片１４の少なくとも上縁１４ｃと側縁１４ｄとの交点（先端角部）がリップ部３３のリップ溝３３ｃ内に入り込み、リップ部３３の内側に係止する。これにより、固定クリップ１０により連結された野縁受け２０と野縁３０とから天井パネル支持構造体に地震などによる外力が作用しても、係合突起片１４の先端角部がリップ溝３３ｃ内に係合し続け、固定クリップ１０が野縁３０から外れることはない。
【００３０】
固定クリップ１０は上述した構造であるため、地震などによる作用力が野縁３０及び野縁受け２０を介して固定クリップ１０に働いても、固定クリップ１０が、野縁３０及び野縁受け２０から外れることはない。しかし、長期の使用期間中に種々の原因により固定クリップ１０と野縁受け２０との嵌合、及び固定クリップ１０と野縁３０との係合に緩み（ガタつき）が生じることもある。そのため、図６及び図７に示されるように、固定クリップ１０の上面部１１ａ、及び野縁受け２０の側方壁２２外側に位置する一方の側面部１１ｂに開口穴１６を形成し、これらの開口穴１６に締付けボルト１７を螺着しておくことも好ましい。具体的には、上面部１１ａ及び一方の側面部１１ｂそれぞれのほぼ中央部に開口穴１６を形成し、同時にその開口穴１６の周囲部を外側に膨出させる。
【００３１】
固定クリップ１０は、前述したように比較的に薄い亜鉛メッキ鋼板などで形成されているため開口穴１６の内周縁にネジを切る必要はなく、開口穴１６の内周縁自体が締付けボルト１７のネジ溝に螺合する。この結果、固定クリップ１０と野縁受け２０との嵌合に緩み（ガタつき）が生じたとき、側面部１１ｂの開口穴１６に螺合した締付けボルト１７を挿入方向に回転すると、締付けボルト１７の先端が野縁受け２０の側方壁２２に当接し、さらに締付けボルト１７を締め付けると、固定クリップ１０は、他方の側面部１１ｂが野縁受け２０における上側壁２１の端縁部に圧接するように移動し、その結果、固定クリップ１０の野縁受け嵌合部１１において野縁受け２０に対する保持力が高められる。
【００３２】
また、固定クリップ１０と野縁３０との係合に緩み（ガタつき）が生じたときには、開口穴１６に締付けボルト１７を螺合して挿入方向に回転すると、締付けボルト１７の先端が野縁受け２０の上側壁２１に当接し、さらに締付けボルト１７を締め付けると、固定クリップ１０は、その上面部１１ａが野縁受け２０から相対的に離れる方向に移動し、これにより各脚面部１３は、その端部１３ａが野縁３０の溝部３４から出る方向に移動する。その結果、各脚面部１３の端部１３ａ両側に設けられた係合突起片１４の先端角部がリップ部３３のリップ溝３３ｃ内に一層食い込んでその係合力が高められる。このような緩み止め作業は、躯体構造物に対する点検時に行うことができ、その結果、固定クリップ１０による野縁受け２０と野縁３０との強固な連結を長期に亘って持続させることができる。
【００３３】
なお、本発明の固定クリップにおいて、野縁受け嵌合部１１は、その内部に野縁受け２０を相対的に嵌め込むことができる形状であればどのような形状でもよく、従ってこの野縁受け２０は、野縁受け嵌合部１１に対応した断面形状のものを使用することができ、野縁受け２０としてどのような断面形状にするかの選択の自由度が向上する。もちろん、野縁受け２０は、木材や樹脂材であってもよい。さらに、前述の説明から明らかなように、固定クリップ１０は、常に、野縁受け２０や野縁３０の寸法に対応して製作されるが、例えば天井支持構造体に使用される野縁受け２０や野縁３０は、規格化されているので、これらの規格品に対応して数種類の大きさの固定クリップを製作しておけば、どのような天井パネル支持構造体にも使用することができる。
【００３４】
前述した本発明の固定クリップに係る実施形態は、野縁と野縁受けとを用いた天井パネル支持構造体においてそれら野縁と野縁受けとを連結する場合を例にしたが、本発明は、このような実施形態に限定されるものではなく、例えば、内装壁などを支持する内装パネル支持構造体として躯体壁面に配設される下地材どうしの固定などにも用いることができる。
【符号の説明】
【００３５】
１０    固定クリップ
１１    野縁受け嵌合部
１１ａ    上面部
１１ｂ    側面部
１２    野縁係合部
１３    脚面部
１３ｃ    端部
１３ｄ    側縁
１４    係合突起片
１４ａ    表面
１４ｂ    裏面
１４ｃ    上縁
１４ｄ    側縁（幅方向先端部）
１５    Ｖ字状のフック溝
２０    野縁受け
２１    上側壁
３０    野縁
３１    主壁
３２    側壁
３３    リップ部
３３ｃ    リップ溝
３３ｄ    内側肩部
【図１】
2010229785.tif 000003
【図２】
2010229785.tif 000004
【図３】
2010229785.tif 000005
【図４】
2010229785.tif 000006
【図５】
2010229785.tif 000007
【図６】
2010229785.tif 000008
【図７】
2010229785.tif 000009